(57)【要約】【課題】組み立て性、耐久性、塵埃の掻き取り性能の優れた回転ロータを提供する。【解決手段】外周長手方向に支持溝２３を少なくとも１条有するロータ２１と、塵埃を掻き取る清掃体２２とを備え、清掃体２２を、略帯状で基材２４ａとそれに植設された繊維２４ｂからなる起毛布２４と、起毛布２４の両側端に固着された基部２５とで構成し、起毛布２４を基材２４ａを内側にして略中央で折り曲げ、両基部２５を支持溝２３に装着して、清掃体２２の径方向の端部２２ａをループ状に形成したもので、起毛布２４の基材２４ａとロータ２１との間に形成される空間部２６により、起毛布２４が容易に撓むので、清掃時に、起毛布２４に強い圧縮力が加わっても、回転ロータ２０が停止したりすることが無く、また、連続的に配された起毛布２４の繊維２４ｂが外方に突出しているので、均一に清掃すると共に、ほつれ難くしかも塵埃の掻き取り性能に優れている。【選択図】図１
2007330652.tif 000002
【特許請求の範囲】
【請求項１】
機器に回転自在に取着されると共に外周長手方向に少なくとも１条の支持溝を有するロータと、被掃除面の塵埃を掻き取る清掃体とを備え、前記清掃体を、略帯状で基材とその基材に植設された繊維からなる起毛布と、前記起毛布の長手方向の両側端に固着された基部とで構成し、前記起毛布を前記基材を内側にして略中央で折り曲げ、前記両側端の基部を前記支持溝に装着して、前記清掃体の径方向の端部をループ状に形成した回転ロータ。
【請求項２】
ロータに少なくとも２条の支持溝を設け、前記支持溝の一つに、隣り合う二つの清掃体の基部を装着するようにした請求項１に記載の回転ロータ。
【請求項３】
起毛布の基材の長手方向に、ロータ側に突出する受けリブを一体又は一体的に延設した請求項１又は２に記載の回転ロータ。
【請求項４】
ロータの外周長手方向に保持溝を形成し、受けリブの先端を、前記保持溝で保持するようにした請求項３に記載の回転ロータ。
【請求項５】
ロータの外周長手方向に保持溝を形成し、前記保持溝に、先端が起毛布の基材に当接する受けリブを装着した請求項１又は２に記載の回転ロータ。
【請求項６】
請求項１〜５のいずれか１項に記載の回転ロータを回転自在に設けた掃除機用床吸込具。
【請求項７】
電動送風機と、請求項６に記載の掃除機用床吸込具とを備え、前記電動送風機と前記掃除機用床吸込具とを連通させた電気掃除機。
【請求項８】
空気を熱交換する熱交換器と、前記熱交換器の上流側に配され流入する空気中に含まれる塵埃を捕獲するエアフィルターと、請求項1〜５のいずれか１項に記載の回転ロータとを備え、前記回転ロータで前記エアフィルターで捕獲された塵埃を除去するようにした空気調和機。
【発明の詳細な説明】
【技術分野】
【０００１】
本発明は、回転しながら塵埃を除去する回転ロータと、それを用いた掃除機用床吸込具、電気掃除機及び空気調和機に関するものである。
【背景技術】
【０００２】
従来のこの種の回転ロータとして、空気調和機に搭載され、ロータとそのロータの外周長手方向に植毛されたブラシ状の清掃体からなり、空気調和機に内蔵されたエアフィルターの表面に付着した塵埃を、前記清掃体で矯正的に除去するようにしたものがある（例えば、特許文献１参照）。
【０００３】
図１２は、上記特許文献１に記載された従来の回転ロータを搭載した空気調和機の縦断面図、図１３は、同回転ロータの斜視図である。
【０００４】
図１２において、空気調和機本体１内には、熱交換器２と、室内の空気を取り入れる吸込口３と、前記熱交換器２と前記吸込口３の間に設けられたベルト状のエアフィルター４と、このエアフィルター４を張設した駆動軸６および従動軸７と、前記駆動軸６を回転駆動するサーボモーター５と、前記エアフィルター４で捕集された塵埃を除去する回転ロータ８と、前記回転ロータ８を回転駆動する駆動手段（図示せず）と、前記吸込口３と連通すると共に前記回転ロータ８を内設し排出口９を有する排気管１０と、前記排気管１０内に設けられた塵埃排出用ファン１１と、前記吸込口３から室内の空気を吸引し、熱交換器２を通して吹き出し口１２から、熱交換された空気を室内に吹き出すファン１３とを備えている。
【０００５】
回転ロータ８は、図１３に示すように、樹脂からなる回転自在のロータ８ａと、前記ロータ８ａの外周の長手方向に直線状に植設されたブラシ状の清掃体８ｂから構成されている。
【０００６】
上記構成による従来の回転ロータと空気調和機の動作、作用は以下の通りである。
【０００７】
空気調和機本体１を、例えば、冷房運転すると、ファン１３により室内の空気が吸込口３から流入し、エアフィルター４を通って熱交換器２に至り、そこで冷却され、冷たい空気が吹き出し口１２から室内に吹き出される。吸引される室内の空気に含まれる塵埃は、前記エアフィルター４で捕集され、フィルター４の表面に堆積する。エアフィルター４の表面に塵埃が堆積してくると、空気の通気圧損が増加し、熱交換効率が低下してくるので、定期的に或いは、必要に応じて、エアフィルター４上の塵埃の除去運転が必要となる。
【０００８】
塵埃の除去運転は、サーボモーター５を運転して駆動軸６を回転させてベルト状のフィルター４を連続的に移動させ、その間に回転ロータ８を回転させると共に塵埃排出用ファン１１を運転するもので、エアフィルター４上の塵埃が、回転ロータ８の清掃体8ｂで掻き取られ、掻き取られた塵埃は、塵埃排出用ファン１１により吸引され、排出口９より室外に排出されるようになっている。
【０００９】
しかしながら、上記特許文献１に開示された回転ロータ８は、樹脂などからなるロータ８ａに清掃体８ｂを植毛して構成しているため、製造コストが高く、しかも清掃体８ｂが連続的に形成されていないので、清掃が均一にできないという課題があった。
【００１０】
この問題を解決するものとして、使用用途は、電気掃除機用であるが、図１４に示すように、回転ロータ１５を、円筒上のロータ１５ａと、前記ロータ１５ａの外周面に巻き付けられた起毛布１５ｂで構成したものがある（例えば、特許文献２参照）。
【００１１】
また、図１５に示すように、回転ロータ１６を、外周長手方向に螺旋状の複数の支持溝１７ａを有するロータ１７と、清掃体１８で構成し、前記清掃体１８を、長尺の繊維束を、蛇行状に折曲して形成された所定幅の帯板状体１８ａと、帯板状体１８ａの長手方向両縁部に固着された紐状の取付用部材１８ｂからなり、清掃体１8をその幅方向の中央付近で折り返して、両端のそれぞれの取付用部材１８ｂを、ロータ１７に設けた支持溝１７ａに挿入固定して、清掃体１8の自由端１９をループ状にしたものがある（例えば、特許文献３参照）。
【特許文献１】特開平６−７４５２１号公報
【特許文献２】特開平８−５６８７５号公報
【特許文献３】特開２００２−００５１７号公報
【発明の開示】
【発明が解決しようとする課題】
【００１２】
上記特許文献２に記載された回転ロータ１５は、円筒上のロータ１５ａの外周面全体が起毛布１５ｂで覆われているので、起毛布１５ｂの先端部分が連続的に被掃除面に接触して、均一な清掃が可能であるが、起毛布１５ｂが全幅に渡って、被掃除面に同時に接触するため起毛布１５ｂと被掃除面との間の摺動抵抗が大きくなるため、この回転ロータ１５をモータ等で回転させて、塵埃を効率よく除去しようとした場合、掃除中に回転ロータ１５の回転が止まったり、モータに過負荷が加わりモータを焼損するなどの課題があった。なお、起毛布１５ｂを構成する繊維を長めにしたり、細くするなどして、繊維の毛腰を弱くすれば、起毛布１５ｂと被掃除面との間の摺動抵抗を小さくすることはできるが、それでは被掃除面上の塵埃の掻き出し性能が低下し、実用的ではない。
【００１３】
また、上記特許文献３に記載された回転ロータは、その清掃体１８の中央部が折り曲げられ、その自由端１９がループ状になって自由に撓むことができるので、被掃除面の清掃時に、清掃体１８に無理な力が加わっても、回転ロータが停止したり、それを回転駆動するモータに過負荷が加わることが無く、また、繊維が連続的に配されているので、被掃除面を均一に清掃することができる。しかしながら、清掃体１８の帯板状体１８ａは、長尺の繊維束を蛇行状に折曲して形成されたものであるため、被掃除面の表面を磨く効果はあっても、本来の塵埃を掻き出す効果、すなわち、拭取り性能が劣り、また、自由端１９のループ部の繊維束が被掃除面との摩擦により、ほつれて繊維がちぎれてループ状部が開放したり、清掃体１８の取付用部材１８ｂを、ロータ１７に設けた支持溝１７ａに挿入する際に、繊維束が支持溝１７ａに引っ掛かり、ずれてしまったり、切れて、そこからほつれてしまうなど組み立て性が非常に悪いという課題があった。
【００１４】
本発明は、上記従来の課題を解決するもので、組み立て性、耐久性にすぐれ且つ塵埃の掻き取り性能の優れた回転ロータ、掃除機用床吸込具、電気掃除機及び空気調和機を提供することを目的とするものである。
【課題を解決するための手段】
【００１５】
前記従来の課題を解決するために、本発明の回転ロータは、機器に回転自在に取着されると共に外周長手方向に少なくとも１条の支持溝を有するロータと、被掃除面の塵埃を掻き取る清掃体とを備え、前記清掃体を、略帯状で基材とその基材に植設された繊維からなる起毛布と、前記起毛布の長手方向の両側端に固着された基部とで構成し、前記起毛布を前記基材を内側にして略中央で折り曲げ、前記両側端の基部を前記支持溝に装着して、前記清掃体の径方向の端部をループ状に形成したもので、起毛布の中央部が折り曲げられて形成された端部がループ状になっているので、起毛布の基材とロータとの間に空間部が形成され、その空間部により起毛布が容易に撓むことができるので、被掃除面の清掃時に、起毛布に強い圧縮力が加わっても、回転ロータが停止したり、それを回転駆動するモータに過負荷が加わることが無く、また、起毛布の繊維が連続的に配され、さらに起毛布の繊維が外方に突出しているので、被掃除面を均一に清掃すると共に、ほつれ難くしかも塵埃の掻き取り性能にも優れている。また、起毛布が帯状になっているので、ロータに設けた支持溝に基部を装着する際に、起毛布が支持溝に引っ掛かったり、千切れたり、ずれたりすることがないので、組み立てが容易である。
【００１６】
また、本発明の掃除機用床吸込具は、請求項１〜５のいずれか１項に記載の回転ロータを回転自在に設けたもので、掃除性能、耐久性に優れた掃除機用床吸込具を提供することができる。
【００１７】
また、本発明の電気掃除機は、電動送風機と、請求項６に記載の掃除機用床吸込具とを備え、前記電動送風機と前記掃除機用床吸込具とを連通させたもので、掃除性能、耐久性に優れた電気掃除機を提供することができる。
【００１８】
また、本発明の空気調和機は、空気を熱交換する熱交換器と、前記熱交換器の上流側に配され流入する空気中に含まれる塵埃を捕獲するエアフィルターと、請求項1〜５のいずれか１項に記載の回転ロータとを備え、前記回転ロータで前記エアフィルターで捕獲された塵埃を除去するようにしたもので、エアフィルターの掃除性能に優れ、また、回転ロータの回転時に、エアフィルターに無理な力が加わることのない、耐久性に優れた空気調和機を提供することができる。
【発明の効果】
【００１９】
本発明の回転ロータ、掃除機用床吸込具、電気掃除機及び空気調和機は、組み立て性、耐久性にすぐれ且つ塵埃の掻き取り性能に優れたものである。
【発明を実施するための最良の形態】
【００２０】
第１の発明は、機器に回転自在に取着されると共に外周長手方向に少なくとも１条の支持溝を有するロータと、被掃除面の塵埃を掻き取る清掃体とを備え、前記清掃体を、略帯状で基材とその基材に植設された繊維からなる起毛布と、前記起毛布の長手方向の両側端に固着された基部とで構成し、前記起毛布を前記基材を内側にして略中央で折り曲げ、前記両側端の基部を前記支持溝に装着して、前記清掃体の径方向の端部をループ状に形成したもので、起毛布の中央部が折り曲げられて形成された端部がループ状になっているので、起毛布の基材とロータとの間に空間部が形成され、その空間部により起毛布が容易に撓むことができ、被掃除面の清掃時に、起毛布に強い圧縮力が加わっても、回転ロータが停止したり、それを回転駆動するモータに過負荷が加わることが無く、また、起毛布の繊維が連続的に配され、さらに起毛布の繊維が外方に突出しているので、被掃除面を均一に清掃すると共に、ほつれ難くしかも塵埃の掻き取り性能にも優れている。また、起毛布が帯状になっているので、ロータに設けた支持溝に基部を装着する際に、起毛布が支持溝に引っ掛かったり、千切れたり、ずれたりすることがないので、組み立てが容易である。
【００２１】
第２の発明は、特に、第１の発明のロータに少なくとも２条の支持溝を設け、前記支持溝の一つに、隣り合う二つの清掃体の基部を装着するようにしたもので、隣り合う二つの清掃体間に隙間が発生しないので、清掃体による清掃効果が大きく、また一つの支持溝で、隣り合う二つの清掃体の基部を装着するので、支持溝の数を減ずることができ、余分な支持溝を設けることによるロータの強度の低下を防ぐと共に、組み立て工数も削減できる。
【００２２】
第３の発明は、特に、第１又は第２の発明の起毛布の基材の長手方向に、ロータ側に突出する受けリブを一体又は一体的に延設したもので、清掃時に、起毛布に強い圧縮力が働いても、受けリブの先端がロータに当接し、撓んでその圧縮力を吸収すると共に、起毛布が凹んだままになるなどの永久変形を防止することができる。
【００２３】
第４の発明は、特に、第３の発明のロータの外周長手方向に保持溝を形成し、受けリブの先端を、前記保持溝で保持するようにしたもので、清掃時に、起毛布に強い圧縮力が働いた時、受けリブが大きく撓んで、その受けリブが元に位置に戻らなくなるのを防止し、長期間に渡って、起毛布の撓み性能を維持することができる。
【００２４】
第５の発明は、特に、第１又は第２の発明のロータの外周長手方向に保持溝を形成し、前記保持溝に、先端が起毛布の基材に当接する受けリブを装着したもので、清掃時に、起毛布に強い圧縮力が働いても、受けリブの先端が起毛布の基材に当接し、撓んでその圧縮力を吸収すると共に、起毛布が凹んだままになるなどの永久変形を防止することができる。
【００２５】
第６の発明は、掃除機用床吸込具に請求項１〜５のいずれか１項に記載の回転ロータを回転自在に設けたもので、掃除性能、耐久性に優れた掃除機用床吸込具を提供することができる。
【００２６】
第７の発明は、電気掃除機に、電動送風機と、請求項６に記載の掃除機用床吸込具とを備え、前記電動送風機と前記掃除機用床吸込具とを連通させたもので、掃除性能、耐久性に優れた電気掃除機を提供することができる。
【００２７】
第８の発明は、空気調和機に、空気を熱交換する熱交換器と、前記熱交換器の上流側に配され流入する空気中に含まれる塵埃を捕獲するエアフィルターと、請求項1〜５のいずれか１項に記載の回転ロータとを備え、前記回転ロータで前記エアフィルターで捕獲された塵埃を除去するようにしたもので、エアフィルターの掃除性能に優れ、また、回転ロータの回転時に、エアフィルターに無理な力が加わることのない、耐久性に優れた空気調和機を提供することができる。
以下、本発明の実施例について、図面を参照しながら説明する。なお、この実施例によって本発明が限定されるものではない。
【実施例１】
【００２８】
図１（ａ）は、本発明の第１の実施例における回転ロータの斜視図、（ｂ）は、同回転ロータのロータの斜視図、（ｃ）は、同回転ロータの清掃体の斜視図である。
【００２９】
図１において、本実施例における回転ロータ２０は、アルミニュームやその合金などの金属材料で棒状に形成され、電気掃除機用床用吸込具や空気調和機などの機器（図示せず）に回転自在に取着されるロータ２１と、ロータ２１に着脱自在に装着されると共に被掃除面(図示せず)上の塵埃を掻き取る清掃体２２から構成されている。ロータ２１の外周長手方向には、直線状に一対の支持溝２３が形成され、その支持溝２３の断面形状は、図１に示すようにロータ２１の全長に渡って、略いちょう型で、ロータ２１の外周に形成される開口２１ａが内部より狭くなるように形成されている。
【００３０】
清掃体２２は、略帯状で基材２４ａとその基材２４ａに植設されたポリエステルやナイロンなどの極細の繊維２４ｂからなる起毛布２４と、前記起毛布２４の長手方向の両側端に固着されると共に支持溝２３に着脱自在に装着される基部２５とで構成されている。
【００３１】
本実施例では、図に示すように、2個の支持溝２３に、2個の清掃体２２の基部２５を装着している。具体的な回転ロータ２０の組み立ては、2個の起毛布２４のそれぞれを基材２４ａを内側にして略中央で折り曲げ、2個の清掃体２２のそれぞれの一方の基部２５を一緒にして、一方の支持溝２３に装着し、2個の清掃体２２のそれぞれの他方の基部２５も同様に一緒にして、他方の支持溝２３に装着するようにして行われる。これにより、清掃体２２の径方向での端部２２ａの断面形状がループ状になり、起毛布２４の基材２４ａとロータ２１の表面との間に空間部２６が形成される。
【００３２】
以上のように、本実施例によれば、起毛布２４の中央部が折り曲げられて形成された端部２２ａがループ状になって、起毛布２４の基材２４ａとロータ２１との間に空間部２６が形成され、その空間部２６により起毛布２４が容易に撓むことができるので、被掃除面の清掃時に、清掃体２２の起毛布２４に強い圧縮力が加わっても、回転ロータ２０が停止したり、それを回転駆動するモータ（図示せず）に過負荷が加わることが無く、また、起毛布２４の繊維２４ｂが連続的に配され、さらに起毛布２４の繊維２４ｂが外方に突出しているので、被掃除面を均一に清掃すると共に、ほつれ難くしかも塵埃の掻き取り性能が向上するものである。また、清掃体２２の起毛布２４が帯状になっているので、ロータ２１に装着する際に、清掃体２２が支持溝２３に引っ掛かったり、千切れたり、ずれたりすることがないので、組み立てが容易である。
【００３３】
また、支持溝２３の一つに、隣り合う二つの清掃体２２の基部２５を装着するようにしたので、隣り合う二つの清掃体２２間に隙間が発生せず、清掃体２２による清掃効果が大きく、また一つの支持溝２３で、隣り合う二つの清掃体２２の基部２５を装着するので、支持溝２３の数を減ずることができ、余分な支持溝２３を設けることによるロータ２１の強度の低下を防ぐと共に、組み立て工数も削減できるものである。
【００３４】
なお、上記実施例では、２個の支持溝２３で２個の清掃体２２を保持するようにしたが、図２（ａ）に示すように、一対の支持溝２３で、１個の清掃体２２のみ支持するようにしても良い。さらには、図２（ｂ）に示すように、ロータ２１に支持溝２３を１条のみ設け、その支持溝２３に、１枚の起毛布２４の両側端に固着された２個の基部２５を一緒に、前記１条の支持溝２３に装着するようにしてもよい。いずれの場合も、ロータ２１の表面と起毛布２４の基材２４ａとの間に所定の空間部２６が確保できるように、起毛布２４の幅寸法を決定するようにする。以上のように、図２に示されるような構成によれば、起毛布２４が１枚で済むので、回転ロータ２０を安価に形成することができる。
【００３５】
さらには、図３に示すように、ロータ２１の外周に均等に設けた３個の支持溝２３で、３個の清掃体２２を支持するようにしても良い。支持溝２３と清掃体２２の数を増やすと組み立て工数が増えるが、それらの数が増えることにより、隣り合う２つの清掃体２２の端部２２ａ間の距離が小さくなるので、回転ロータ２０の回転時に被掃除面に加わる衝撃が小さくなり、低騒音化を図ることができる。
【実施例２】
【００３６】
図４は、本発明の第２の実施例における回転ロータの斜視図である。なお、上記第１の実施例と同一部分については、同一符号を付してその説明を省略する。
【００３７】
本実施例は、図４に示すように、起毛布２４の基材２４ａの長手方向に、ロータ２１側に突出する受けリブ２７を一体又は一体的に延設したもので、これにより、回転ロータ２０を回転させて被掃除面を清掃している時に、起毛布２４に強い圧縮力が働いても、受けリブ２７がロータ２１に当接し、撓んでその圧縮力を吸収すると共に、起毛布２４が凹んだままになるなどの永久変形を確実に防止することができる。
【実施例３】
【００３８】
図５（ａ）は、本発明の第３の実施例における回転ロータの斜視図、（ｂ）は、受けリブの動作を示す同回転ロータの斜視図である。なお、上記実施例と同一部分については、同一符号を付してその説明を省略する。
【００３９】
本発明は、図５に示すように、起毛布２４の基材２４ａの長手方向に、ロータ２１側に突出する受けリブ２８を一体又は一体的に延設すると共に、ロータ２１の長手方向で、且つ隣り合う支持溝２３間に受けリブ２８の先端２８ａを保持する保持溝２９を形成したものである。
【００４０】
上記構成により、回転ロータ２０による被掃除面の清掃時に、起毛布２４に強い圧縮力が働くと、それに伴い、図５（ｂ）に示すように、受けリブ２８が大きく撓んで、その圧縮力を吸収すると共に、受けリブ２８の先端が保持溝２９で保持されているので、その受けリブ２８が元に位置に戻らなくなるのを防止し、長期間に渡って、起毛布２４の撓み性能を維持することができる。
【実施例４】
【００４１】
図６（ａ）は、本発明の第４の実施例における回転ロータの斜視図、（ｂ）は、同回転ロータのロータの斜視図、（ｃ）同回転ロータの受けリブの斜視図である。なお、上記第３の実施例と同一部分については、同一符号を付してその説明を省略する。
【００４２】
上記第３の実施例では、起毛布２４に加わる圧縮力を吸収する受けリブ２８を起毛布２４の基材２４ａに一体又は一体的に形成したが、本実施例では、図６（ａ）〜（ｃ）に示すように、起毛布２４に加わる圧縮力を吸収する受けリブ４９を、シリコンゴムなどの弾力性に富んだ材料で別部品として形成し、一側の端部にロータ２１の長手方向に形成された保持溝２９に装着される基部４９ａを備え、その基部４９ａが前記保持溝２９に装着されると、受けリブ４９の他側の端部が起毛布２４の基材２４ａに当接するようになっている。
【００４３】
本実施例の回転ロータ２０は、上記のように構成されているので、上記第３の実施例と同様に、被掃除面の清掃時に、起毛布２４に強い圧縮力が働くと、それに伴い、受けリブ４９が大きく撓んで、その圧縮力を吸収すると共に、受けリブ４９の基部４９ａが保持溝２９で保持されているので、その受けリブ４９が元に位置に戻らなくなるのを防止し、長期間に渡って、起毛布２４の撓み性能を維持することができる。また、受けリブ４９は、起毛布２４とは別部品なので、起毛布２４の製造が簡単になると共に、受けリブ４９の弾力性が劣化したときは、受けリブ４９のみの交換で済むので、メンテナンスが容易である。
【００４４】
なお、上記受けリブ４９に代え、図６（ｄ）に示すように、多数の繊維や毛などからなるブラシ材５０ａと、ブラシ材５０ａの下端が固定されると共に、ロータ２１の保持溝２９に装着される基部５０ｂからなるブラシ体５０を利用しても良い。このブラシ体５０は、保持溝２９に基部５０ｂを装着すると、ブラシ材５０ａの先端で、起毛布２４の基材２４ａを受けるようになっている。
【００４５】
本構成によれば、起毛布２４が外部より圧縮力を受けると、起毛布２４の基材２４ａが、複数の繊維や、毛などからなるブラシ材５０ａの先端で受けられ、衝撃がよりソフトにしかも確実に吸収されるもので、空気調和機などに搭載されたエアフィルター（図示せず）など、表面が比較的でこぼこしており、且つ強度的にあまり強くない被掃除面の清掃に好適である。
【実施例５】
【００４６】
図７は、本発明の第５の実施例における掃除機用床吸込具の斜視図、図８は、同掃除機用床吸込具に取着される回転ロータの斜視図、図９は、同掃除機用床吸込具を接続した電気掃除機の全体構成を示す図である。
【００４７】
図７、図８において、掃除機用床吸込具３０（以下「床吸込具３０」という）の外郭３１は、上ケース３２と、下面に吸い込み口３３を有する下ケース３４からなり、外周に、掃除の際に家具などへの傷付を防止するためのバンパー３５が設けられ、前部に、上記実施例で述べた回転ロータ２０を回転自在に収納すると共に吸い込み口３３と連通する回転ロータ室３７が配されている。又、床吸込具３０の後部には、後述する延長管を介して、電気掃除機に連通接続される接続管３８が傾動自在に取着されている。
【００４８】
４０は、下ケース３４の底面の前部、後部にそれぞれ一対ずつ設けられた走行用ローラーで、床吸込具３０を木床などの被掃除面に置いたとき、その被掃除面と下ケース３４の底面との間に所定の隙間を確保して、電気掃除機による吸引力で、床吸込具３０の底部が被掃除面に密着して操作性が悪くなることの無いようにするものである。
【００４９】
４１は、床吸込具３０の略中央でかつ回転ロータ２０の後方に位置し、回転ロータ室３７と接続管３８とを連通する吸引口である。
【００５０】
回転ロータ２０のロータ２１の一方の端部にはホルダー４５が、他方の端部には、プーリー付ホルダー４６がそれぞれ固着されている。４３は、電動機４２の回転シャフト（図示せず）と、プーリー付ホルダー４６間に張架されるベルトで、電動機４２の回転動力を回転ロータ２０に伝えるものである。
【００５１】
４７は、床吸込具３０の内壁４８に取り付けられ、ホルダー４５及びプーリー付ホルダー４６を回転自在に支持するための軸受である。
【００５２】
次に、図９を用いて、同床吸込具３０を接続した電気掃除機について説明する。
【００５３】
図９において、電気掃除機５０は、前部に塵埃を捕集する集塵室５１と、後部に電動送風機５２を内蔵した電動送風機室５３をそれぞれ備えた掃除機本体５４と、前記集塵室５１に連通するように一端が掃除機本体５４に接続されるホース５５と、ホース５５の他端に設けられたハンドルパイプ５６に一端が着脱自在に接続される延長管５７とを備え、前記延長管５７の他端に床吸込具３０が接続される。ハンドルパイプ５６には、掃除機本体５４の運転を操作する本体スイッチ５６ａと、床吸込具３０に内蔵された電動機４２の運転を操作する吸込具スイッチ５６ｂが設けられている。
【００５４】
上記構成による床吸込具３０及び電気掃除機の動作、作用は以下の通りである。
【００５５】
掃除機本体５４内に収納された電源コード（図示せず）を引き出し、そのプラグ（図示せず）を室内のコンセントに差し込んで、ハンドルパイプ５６に設けた本体スイッチ５６ａ、吸込具スイッチ５６ｂを操作すると、電動送風機５２及び床吸込具３０の電動機４２の運転が開始し、それに伴い、床吸込具３０の底部に設けた吸い込み口３３から、回転ロータ２０の清掃体２２で掻き出された被掃除面上の塵埃が外気と共に吸引され、延長管５７、ハンドルパイプ５６、ホース５５を経て集塵室５１に至り、そこで吸引風に含まれた塵埃が捕集され、きれいになった空気が掃除機本体５４の後部に設けた排気口（図示せず）から排気される。
【００５６】
以上のように、本実施例によれば、掃除性能、耐久性、取り扱い性、組み立て性に優れた回転ロータ２０を使用しているので、掃除性能、耐久性に優れた掃除機用床吸込具及び電気掃除機を安価に提供することができる。
【実施例６】
【００５７】
図１０は、本発明の第６の実施例における空気調和機の縦断面図、図１１は、同空気調和機の内部構成の概略を示す斜視図である。なお、上記実施例と同一部分については、同一符号を付してその説明を省略する。
【００５８】
図１０、１１において、空気調和機本体６０は、熱交換器６１と、室内の空気を取り入れる吸込口６２と、前記熱交換器６１と前記吸込口６２の間に配され、前記吸込口６２から流入する空気中に含まれる塵埃を捕獲するエアフィルター６３と、前記エアフィルター６３の上流側に配されると共に、前記エアフィルター６３で捕獲された塵埃を除去する回転ロータ２０と、回転ロータ２０を回転駆動する回転駆動手段（図示せず）と、前記回転ロータ２０を前記エアフィルター６３の上流側の表面に沿って上下方向に移動させる上下移動手段（図示せず）と、前記吸込口６２から室内の空気を吸引し、エアフィルター６３、熱交換器６１を通して、吹き出し口６６から、熱交換された空気を室内に吹き出すファン６７とを備えている。上記回転ロータ２０は、上記実施の形態１乃至３で述べたものと同一である。
【００５９】
本実施例では、エアフィルター６３は、左右に分割されて２個配されると共に、清掃を容易にするため空気調和機本体６０に対し着脱自在である。また、回転ロータ２０は、それぞれのエアフィルター６３に対向して設けられている。
【００６０】
本実施例では、回転ロータ２０の有効清掃幅Ｌ１（清掃体2２の全幅寸法）を、一般的な空気調和機用のエアフィルター6３の幅寸法に合わせて、少なくとも３００ｍｍとしている。
【００６１】
以上のように構成された空気調和機の動作、作用は、以下の通りである。
【００６２】
空気調和機本体６０を例えば、冷房運転すると、送風ファン６７の運転により室内の空気が吸込口６２から流入し、エアフィルター６３を通って熱交換器６１に至り、そこで冷却され、冷たい空気が吹き出し口６６から室内に吹き出される。吸込口６２から吸引される室内の空気に含まれる塵埃は、エアフィルター６３で捕獲され、そのエアフィルター６３の表面に次第に堆積していく。エアフィルター６３の表面に塵埃が堆積してくると、空気の通気圧損が増加し、熱交換器６１での熱交換効率が低下してくるので、定期的に或いは、必要に応じて、エアフィルター６３に堆積した塵埃の除去運転が必要となる。
【００６３】
そこで、本実施例では、塵埃の除去運転を開始すると、図１０に示すように、エアフィルター６３の下端に位置していた回転ロータ２０が、回転駆動手段（図示せず）により矢印方向（時計方向）に回転しながら、上下移動手段（図示せず）で、エアフィルター６３の表面に沿って上方に移動する。この間に、回転ロータ２０の清掃体２２のループ状の端部２２ａで、エアフィルター６３の上流側表面に付着堆積した塵埃が掻き落とされる。掻き落とされた塵埃は、図示しない塵埃吸引手段で吸引されると共に、屋外に排出されるようになっている。
【００６４】
なお、上下移動手段により、回転ロータ２０が、エアフィルター６３の上端まで達すると、自動的に下降し、次回の塵埃の除去運転用に、エアフィルター６３の下端で停止するようになっている。また、回転ロータ２０の回転方向は、矢印方向と反対方向（反時計方向）であっても良く、その回転方向は、清掃性能等を考慮しながら適宜決定すればよい。
【００６５】
以上のように、本実施例によれば、エアフィルター６３の清掃用に、掃除性能、耐久性、取り扱い性、組み立て性に優れた回転ロータ２０を使用しているので、掃除性能、耐久性に優れた空気調和機を安価に提供することができる。
【００６６】
なお、上記実施例では、２個のエアフィルター６３のそれぞれに回転ロータ２０を設けたが、一本の長尺の回転ロータ２０で、２個のエアフィルター６３の清掃を同時に行うようにしても良い。
【産業上の利用可能性】
【００６７】
以上のように、本発明にかかる回転ロータは、掃除性能、耐久性、取り扱い性、組み立て性に優れたもので、電気掃除機や空気調和機に限らず、空気清浄機、換気装置などエアフィルターを有する各種機器にも広く利用することができるものである。
【図面の簡単な説明】
【００６８】
【図１】（ａ）、本発明の第１の実施例における回転ロータの斜視図、（ｂ）、同回転ロータのロータの斜視図、（ｃ）、同回転ロータの清掃体の斜視図
【図２】（ａ）他の例を示す回転ロータの斜視図、（ｂ）他の例を示す回転ロータの斜視図
【図３】他の例を示す回転ロータの斜視図
【図４】本発明の第２の実施例における回転ロータの斜視図
【図５】（ａ）本発明の第３の実施例における回転ロータの斜視図、（ｂ）受けリブの動作を示す同回転ロータの斜視図
【図６】（ａ）本発明の第４の実施例における回転ロータの斜視図、（ｂ）同回転ロータのロータの斜視図、（ｃ）同回転ロータの受けリブの斜視図、（ｄ）同回転ロータの受けリブの他の例を示す斜視図
【図７】本発明の第５の実施例における掃除機用床吸込具の斜視図
【図８】同掃除機用床吸込具に取着される回転ロータの斜視図
【図９】同掃除機用床吸込具を接続した電気掃除機の全体構成を示す図
【図１０】本発明の第６の実施例における空気調和機の縦断面図
【図１１】同空気調和機の内部構成の概略を示す斜視図
【図１２】従来の回転ロータを搭載した空気調和機の断面図
【図１３】同回転ロータの斜視図
【図１４】（ａ）従来の他の例を示す回転ロータの側面図、（ｂ）同回転ロータの断面図
【図１５】（ａ）従来のさらに他の例を示す回転ロータの清掃体の斜視図（ｂ）同回転ロータの断面図
【符号の説明】
【００６９】
２０    回転ロータ
２１    ロータ
２２    清掃体
２２ａ  端部
２３    支持溝
２４    起毛布
２４ａ  基材
２４ｂ  繊維
２５    基部
２６    空間部
２７、２８、４９  受けリブ
２９    保持溝
３０    掃除機用床吸込具（床吸込具）
５０    電気掃除機
６０    空気調和機
【図１】
2007330652.tif 000003
【図２】
2007330652.tif 000004
【図３】
2007330652.tif 000005
【図４】
2007330652.tif 000006
【図５】
2007330652.tif 000007
【図６】
2007330652.tif 000008
【図７】
2007330652.tif 000009
【図８】
2007330652.tif 000010
【図９】
2007330652.tif 000011
【図１０】
2007330652.tif 000012
【図１１】
2007330652.tif 000013
【図１２】
2007330652.tif 000014
【図１３】
2007330652.tif 000015
【図１４】
2007330652.tif 000016
【図１５】
2007330652.tif 000017